(57)【要約】【課題】本体を筒形にして強度を確保し、雄端子がバネ片に当たるときの斜め挿入の傾き角を大幅に抑制して斜め挿入によりバネ片が受ける荷重を大きく軽減でき、製造容易な案内片付き雌端子を提供する。【解決手段】筒形の本体１１０と接続部１２０とを備え、本体の二つの縦壁１１２には、奥行き方向の奥側の端部が固定端１１３ａとなり手前側の端部が自由端１１３ｂとなり且つ自由端が当該縦壁と対向する縦壁に接近するように形成されたバネ片１１３がそれぞれ切り起こされ、二つの縦壁の奥行き方向の手前の端部には、縦壁から本体の内側へ曲がった板片により、当該縦壁の奥行き方向手前の端部とバネ片の先端との間を覆う案内片１１４がそれぞれ設けられている案内片付き雌端子１００。【選択図】図１
2007184171.tif 000002
【特許請求の範囲】
【請求項１】
高さ方向に向いて対向する二つの横壁と、高さ方向と直交する幅方向に向いて対向する二つの縦壁とを有し、高さ方向及び幅方向と直交する奥行き方向に延びる筒形の本体と、
この本体の奥行き方向の奥側に並び且つ本体と一体に設けられ、電線その他の導電体を接続できるように構成した接続部とを備え、
二つの縦壁には、奥行き方向の奥側の端部が固定端となり手前側の端部が自由端となり且つ自由端が当該縦壁と対向する縦壁に接近するように形成されたバネ片がそれぞれ切り起こされ、
二つの縦壁の奥行き方向の手前の端部には、縦壁から本体の内側へ曲がった板片により、当該縦壁の奥行き方向手前の端部とバネ片の先端との間を覆う案内片がそれぞれ設けられている案内片付き雌端子。
【請求項２】
案内片が、奥行き方向の奥に向かうにつれて当該案内片が設けられた縦壁と対向する縦壁に近づくように延びている請求項１の案内片付き雌端子。
【請求項３】
バネ片の自由端が、当該バネ片が切り起こされた縦壁に向かって曲がっている請求項１又は請求項２の案内片付き雌端子。
【請求項４】
横壁の幅方向の両端部に縦壁の高さ方向の端部がそれぞれ一体に設けられ、これらの縦壁の残った端部には、高さ方向に向いた端壁の幅方向の端部がそれぞれ一体に設けられ、これら二つの端壁が幅方向に突き合わせられ又は高さ方向に重ねられており、これらの端壁により上記横壁と対向する横壁が構成されている請求項１ないし請求項３のうちいずれか１項の案内片付き雌端子。
【発明の詳細な説明】
【技術分野】
【０００１】
本発明は、筒形の本体と、この本体に一体に設けられ、電線を接続する接続部とを備えた雌端子の技術分野に属する。
【背景技術】
【０００２】
特許文献１は、この種の雌端子を開示している。特許文献１の端子では、接触部の前端に設けられた嵌合端壁に端子受容切欠が開口され、この端子受容切欠から内側に曲げられた板片により接触予荷重棚部が設けられ、接触部の内部には一対の接触アームが設けられている。この接触部の原板からの成形は、接触アームを底壁から曲げて起こし、上壁を側壁に対して曲げ、側壁を底壁に対して曲げ、さらに接触予荷重棚部を嵌合端壁から曲げて起こし、嵌合端壁を底壁に対して曲げ、さらに嵌合端側壁部を嵌合端壁に対して曲げることで行われる。一方、特許文献２は、ピンコンタクトに接触する接触部を有するソケットコンタクトと、このソケットコンタクトを保持するソケットインシュレータとを備え、ソケットインシュレータに設けたピンコンタクト挿入孔の出口部をソケットコンタクトの接触部に向かって延長し、突出させたソケットコネクタを開示している。
【０００３】
【特許文献１】特開平１１−３４５６４５号公報
【特許文献２】実開平６−７３８７８号公報
【発明の開示】
【発明が解決しようとする課題】
【０００４】
特許文献１の端子は、ピンなどの雄端子が、正規の挿入角度よりも傾いて挿入される、いわゆる斜め挿入が行われた場合、ピンの先端が接触予荷重棚部に当たり、ピンはこの接触予荷重棚部により接触アームへと案内されるから、雄端子が接触アームに当たるときには斜め挿入の傾き角が抑制され、これによって接触アームが受ける座屈荷重その他、雄端子が正規に挿入されたときには受けることがない荷重が軽減される。特許文献２のソケットコネクタも、ピンは挿入孔によりソケットコンタクトの接触部に案内されるから類似した機能が発揮される。
【０００５】
特許文献２のソケットコネクタのように導電性部材よりなるソケットコンタクトと絶縁性部材よりなるソケットインシュレータとを組み合わせてコネクタを構成するのではなく、特許文献１の端子のように所定形状に設けられた一枚の原板を曲げて端子を構成する場合、斜め挿入による荷重をさらに軽減することが切望されている。その場合、接触アームを収納する接触部は、曲げ、捩りその他の負荷に対する強度を確保する上で筒形に設けることが望ましく、しかもその製造工程は出来るだけ簡略化することが求められている。
【０００６】
本発明は、このような点に着目してなされたもので、その目的とするところは、所定形状に設けられた一枚の原板を曲げて筒状の本体を構成し、この本体を構成する壁からバネ片を切り起こし、この壁の端を内側へ曲げて案内片とすることで、本体を筒形にして強度を確保しながら、雄端子がバネ片に当たるときの斜め挿入の傾き角を大幅に抑制し、これによって斜め挿入によりバネ片が受ける荷重を大きく軽減することができ、しかも製造が容易な案内片付き雌端子を提供することにある。
【課題を解決するための手段】
【０００７】
本発明の案内片付き雌端子は、高さ方向に向いて対向する二つの横壁と、高さ方向と直交する幅方向に向いて対向する二つの縦壁とを有し、高さ方向及び幅方向と直交する奥行き方向に延びる筒形の本体と、この本体の奥行き方向の奥側に並び且つ本体と一体に設けられ、電線その他の導電体を接続できるように構成した接続部とを備え、二つの縦壁には、奥行き方向の奥側の端部が固定端となり手前側の端部が自由端となり且つ自由端が当該縦壁と対向する縦壁に接近するように形成されたバネ片がそれぞれ切り起こされ、二つの縦壁の奥行き方向の手前の端部には、縦壁から本体の内側へ曲がった板片により、当該縦壁の奥行き方向手前の端部とバネ片の先端との間を覆う案内片がそれぞれ設けられている。
【０００８】
所定形状に設けられた一枚の原板を曲げて筒状の本体を構成するから、曲げ、捩りその他の負荷に対する強度が確保され、内部のバネ片などが有効に保護される。雄端子が本体の奥行き方向手前から斜め挿入されると、雄端子の先端が案内片に当たり、雄端子の先端はこの案内片によりバネ片へと案内されるから、雄端子がバネ片に当たるときには斜め挿入の傾き角が抑制され、これによってバネ片が受ける座屈荷重その他、雄端子が正規に挿入されたときには受けることがない荷重が軽減される。
【０００９】
その場合、特許文献１の端子のように、本体の奥行き方向の手前において奥行き方向に面して設けられた嵌合端壁の一部を内側に曲げて接触予荷重棚部を形成するのではなく、縦壁から奥行き方向の手前に延びた板片を本体の内側へ曲げることで案内片が設けられるので、案内片を長くすることができることから、雄端子の先端をバネ片へと案内する長さが大きくとれて、雄端子がバネ片に当たるときの斜め挿入の傾き角が大幅に抑制され、これによって斜め挿入によりバネ片が受ける荷重が大きく軽減される。また、案内片を長くできるので、案内片の加工も容易になり、形状決定の自由度も向上することから、このことによっても斜め挿入によりバネ片が受ける荷重が大きく軽減される。
【００１０】
また、本体の原板からの成形は、バネ片及び案内片を縦壁から曲げて起こし、原板の端にある方の横壁を縦壁に対して曲げ、二つの縦壁を原板の内側にある方の横壁に対して曲げれば成形される。そのため、それに類似する工程に加えて、さらに嵌合端壁を底壁に対して曲げ、嵌合端側壁部を嵌合端壁に対して曲げる工程が必要となる特許文献１の端子に較べると、製造が容易である。
【００１１】
案内片が、奥行き方向の奥に向かうにつれて当該案内片が設けられた縦壁と対向する縦壁に近づくように延びていてもよい。
【００１２】
このようにすれば、斜め挿入された雄端子の先端が案内片に当たってバネ片へと案内されるにしたがい、斜め挿入の傾き角がスムーズに減少していくので、挿入抵抗が少ない。しかも、加工が容易である。
【００１３】
本発明の案内片付き雌端子は、バネ片の自由端が、当該バネ片が切り起こされた縦壁に向かって曲がっていてもよい。
【００１４】
このようにすれば、曲がった部位に接点が形成され、接点の確定が容易となる。
【００１５】
本発明の案内片付き雌端子は、横壁の幅方向の両端部に縦壁の高さ方向の端部がそれぞれ一体に設けられ、これらの縦壁の残った端部には、高さ方向に向いた端壁の幅方向の端部がそれぞれ一体に設けられ、これら二つの端壁が幅方向に突き合わせられ又は高さ方向に重ねられており、これらの端壁により上記横壁と対向する横壁が構成されていてもよい。
【００１６】
このようにすれば、二つの端壁を幅方向に突き合わせたときには、案内片付き雌端子が幅方向に対称になり、高さ方向の寸法も低くなり、低背化することができる。また、二つの端壁を高さ方向に重ねたときには、二つの端壁に応力が分散されるので、曲げ、捩りその他の負荷に対する本体の強度が向上する。
【発明の効果】
【００１７】
本発明の案内片付き雌端子は、所定形状に設けられた一枚の原板を曲げて筒状の本体を構成し、この本体を構成する壁からバネ片を切り起こし、この壁の端を内側へ曲げて案内片としたので、本体を筒形にして強度を確保しながら、雄端子がバネ片に当たるときの斜め挿入の傾き角を大幅に抑制して斜め挿入によりバネ片が受ける荷重を大きく軽減することができ、しかも製造が容易となった。
【００１８】
案内片を、奥行き方向の奥に向かうにつれて当該案内片が設けられた縦壁と対向する縦壁に近づくように延ばしたときには、雄端子の挿入抵抗を少なくすることができ、しかも加工が容易である。
【００１９】
バネ片の自由端を、当該バネ片が切り起こされた縦壁に向かって曲げたときには、曲がった部位に接点が形成され、接点の確定を容易にすることができる。
【００２０】
横壁の幅方向の両端部に縦壁の高さ方向の端部をそれぞれ一体に設け、これらの縦壁の残った端部に、高さ方向に向いた端壁の幅方向の端部をそれぞれ一体に設け、これら二つの端壁を幅方向に突き合わせ又は高さ方向に重ね、これらの端壁により上記横壁と対向する横壁を構成したときには、二つの端壁を幅方向に突き合わせることで案内片付き雌端子が幅方向に対称になり、高さ方向の寸法も低くなり、低背化することができ、又は二つの端壁を高さ方向に重ねることで二つの端壁に応力が分散されるので、曲げ、捩りその他の負荷に対する本体の強度が向上する。
【発明を実施するための最良の形態】
【００２１】
以下、本発明の実施の形態を説明する。図１ないし図６は、実施形態の案内片付き雌端子１００を示す。この案内片付き雌端子１００は、公知のプラグなどの雄端子と嵌合する。この実施形態で示した雄端子２００は、図８に仮想線で示したように、導電性材料により形成された棒形の部材である。雄端子は導電性を有する棒形又は板形の部材であればよく、断面形状は問わない。案内片付き雌端子１００はハウジング（図示省略）の内部に収容されていてもよいし、外部に露出したままで使用してもよい。このことは雄端子についても同様である。以下、互いに直交する高さ方向、幅方向及び奥行き方向を定義し、これに基づいて説明する。図５で説明すると、図の左右方向が奥行き方向で左が手前、右が奥であり、図の上下方向が高さ方向、図の紙面に垂直な方向が幅方向である。
【００２２】
実施形態の案内片付き雌端子１００は、導電性材料により形成されており、筒形の本体１１０と、この本体１１０の奥行き方向の奥側に並び且つ本体１１０と一体に設けられた接続部１２０とを備えている。
【００２３】
本体１１０は、高さ方向に向いて対向する二つの横壁１１１と、幅方向に向いて対向する二つの縦壁１１２とを有している。これら二つの横壁１１１と二つの縦壁１１２は、隣接する壁同士が一体に設けられている。横壁１１１は、その厚さの方向にみると、奥行き方向を一辺とし、幅方向を他の一辺とするほぼ長方形状の形状をしており、縦壁１１２は、その厚さの方向にみると、奥行き方向を一辺とし、高さ方向を他の一辺とするほぼ長方形状の形状をしている。横壁１１１は面積の大きい面が高さ方向に直交しているので、高さ方向に向いていることになる。二つの横壁１１１は高さ方向に対向している。また、二つの縦壁１１２は、いずれも面積の大きい面が幅方向に直交しているので、幅方向に向いていることになる。二つ縦壁１１２は幅方向に対向している。本体１１０は、二つの横壁１１１と二つの縦壁１１２とにより筒形に設けられており、奥行き方向に延びている。
【００２４】
接続部１２０は、電線３００を接続できるように構成している。接続部１２０は、本体１１０の横壁１１１、縦壁１１２から奥行き方向の奥へ延びる断面Ｕ字形の基部１２１と、この基部１２１の幅方向の両端から立ち上がるインシュレーションバレル１２２及びワイヤバレル１２３とを備えており、インシュレーションバレル１２２を電線３００の被覆にかしめ、ワイヤバレル１２３を被覆から露出させた電線の芯にかしめることで、電線３００を圧着接続できるように構成している。しかし、接続部は、例えば、電線を圧接接続できるように構成してもよいし、電線をピアシングにより接続できるように構成してもよい。また、接続部は、電線ではなく、その他の導電体を接続できるように構成してもよい。その他の導電体としては、例えばＦＦＣ（フレキシブル・フラット・ケーブル）、ＦＰＣ（フレキシブル・プリンテッド・サーキット）などの平形柔軟ケーブルがある。
【００２５】
二つの縦壁１１２には、バネ片１１３がそれぞれ切り起こされている。バネ片１１３は、その厚さの方向にみると、奥行き方向を一辺とし、高さ方向を他の一辺とするほぼ長方形状の形状をしている。バネ片１１３は、奥行き方向の奥側の端部が固定端１１３ａとなって縦壁１１２に固定されており、手前側の端部が自由端１１３ｂとなっており、片持ち梁のような構造になっている。そして、バネ片１１３は、自由端１１３ｂが、当該バネ片１１３が設けられた当該縦壁１１２と対向する縦壁１１２に接近するように形成されている。そして、バネ片１１３の自由端１１３ｂは、当該バネ片１１３が切り起こされた縦壁１１２に向かって曲がっている。この自由端１１３ｂは、先端が当該バネ片１１３が切り起こされた縦壁１１２に近づくように曲がっている。これによって、バネ片１１３の自由端側は高さ方向からみて、ほぼ「Ｖ」字形に形成されている。
【００２６】
図６及び図８に示すように、二つの縦壁１１２の奥行き方向の手前の端部には、縦壁１１２から本体１１０の内側へ曲がった板片により案内片１１４がそれぞれ設けられている。案内片１１４は、この案内片１１４が設けられた縦壁１１２の奥行き方向手前の端部とバネ片１１３の自由端１１３ｂの先端との間を覆うように設けられている。案内片１１４は、奥行き方向の奥に向かうにつれて当該案内片１１４が設けられた縦壁１１２と対向する縦壁１１２に近づくように延びている。図６及び図８に示すように、この案内片１１４は、高さ方向からみて、ほぼ真っ直ぐに延びている。案内片は、例えば、高さ方向からみて対向する案内片に向かって凸となるように湾曲し又は折れ曲がっていてもよいし、逆に高さ方向からみて案内片が設けられた縦壁に向かって凸となるように湾曲し又は折れ曲がっていてもよい。また、案内片１１４の先端の内側の角が面取りされているが、このように面取りをしなくてもよい。
【００２７】
横壁１１１の幅方向の両端部に、縦壁１１２の高さ方向の端部がそれぞれ一体に設けられている。すなわち、横壁１１１の幅方向の一方の端部に、一方の縦壁１１２の高さ方向の端部が一体に設けられ、横壁１１１の幅方向の他方の端部に、他方の縦壁１１２の高さ方向の端部が一体に設けられている。そして、これらの縦壁１１２の高さ方向の端部のうち残った端部、つまり上記横壁１１１から遠い方の端部には、高さ方向に向いた端壁１１１ａ、１１１ｂの幅方向の端部がそれぞれ一体に設けられている。別の表現で説明すれば、横壁１１１の幅方向の両側でほぼ奥行き方向に延びる端縁に、縦壁１１２の高さ方向の両側でほぼ奥行き方向に延びる端縁のうち一方の端縁がそれぞれ一体に設けられ、これらの縦壁１１２の他方の端縁には、高さ方向に向いた端壁１１１ａ、１１１ｂの幅方向の両側でほぼ奥行き方向に延びる端縁のうち一方の端縁がそれぞれ一体に設けられている。そして、これら二つの端壁１１１ａ、１１１ｂが幅方向に突き合わせられ、これらの端壁１１１ａ、１１１ｂにより上記横壁１１１と対向する横壁１１１が構成されている。端壁１１１ａ、１１１ｂは、その厚さの方向にみると、奥行き方向を一辺とし、幅方向を他の一辺とするほぼ長方形状の形状をしている。端壁１１１ａ、１１１ｂは面積の大きい面が高さ方向に直交しているので、高さ方向に向いていることになる。変形例として、これら二つの端壁を高さ方向に重ね、これらの端壁により上記横壁と対向する横壁を構成してもよい。そのときには、一方の端壁又は両方の端壁の幅方向の寸法を上記実施形態よりも大きくすることになる。
【００２８】
１１５は本体１１０の横壁１１１から高さ方向の一方側に突出する係止片であり、この案内片付き雌端子１００をハウジングに収容するときにはハウジングの凹部に嵌まることで案内片付き雌端子１００がハウジングから容易には抜けないようにしている。本発明は、このような係止片を設けない案内片付き雌端子の実施形態も含む。
【００２９】
この案内片付き雌端子１００は、所定形状に設けられた一枚の原板を曲げて成形される。この原板は、例えば材料の板から型により打ち抜くなどして形成される。図７は、実施形態の案内片付き雌端子１００の製造工程のうち、原板を曲げて本体１１０などを成形する工程を示す。原板にはバネ片１１３が一端を残して分離されている（左上の図）。次に、バネ片１１３及び案内片１１４を縦壁１１２から曲げて起こす。この曲げ加工は、成形後の案内片付き雌端子１００でいう高さ方向に延びる仮想的な軸のまわりに行われる（左下の図）。次に、バネ片１１３及び案内片１１４の曲げ加工をさらに進めると共に、端壁１１１ａ、１１１ｂを縦壁１１２に対してそれぞれ曲げる。この端壁１１１ａ、１１１ｂの曲げ加工は、成形後の案内片付き雌端子１００でいう奥行き方向に延びる仮想的な軸のまわりに行われる（右上の図）。そして、縦壁１１２を横壁１１１に対してそれぞれ曲げると案内片付き雌端子１００が完成する。この縦壁１１２の曲げ加工は、成形後の案内片付き雌端子１００でいう奥行き方向に延びる仮想的な軸のまわりに行われる（右下の図）。
【００３０】
従って、上記実施形態の案内片付き雌端子１００は、所定形状に設けられた一枚の原板を曲げて筒状の本体１１０を構成するから、曲げ、捩りその他の負荷に対する強度が確保され、内部のバネ片１１３などが有効に保護される。図８には三つの位置にある雄端子２００を仮想線で示しているが、このうち傾き角が最も大きく挿入長さが最も短いものを第１の状態、それよりも傾き角が小さくなり挿入長さが中ぐらいのものを第２の状態、傾き角がほぼ零度で挿入長さが最も長いものを第３の状態とすると、雄端子２００が本体１１０の奥行き方向手前から斜め挿入されると、雄端子２００の先端が案内片１１４に当たり（第１の状態）、雄端子２００の先端はこの案内片１１４によりバネ片１１３へと案内されるから、雄端子２００がバネ片１１３に当たるときには斜め挿入の傾き角が抑制され（第２の状態）、これによってバネ片１１３が受ける座屈荷重その他、雄端子２００が正規に挿入されたときには受けることがない荷重が軽減される。そして、雄端子２００は第３の状態になってさらに挿入が進んでいく。
【００３１】
その場合、特許文献１の端子のように、本体の奥行き方向の手前において奥行き方向に面して設けられた嵌合端壁の一部を内側に曲げて接触予荷重棚部を形成するのではなく、縦壁１１２から奥行き方向の手前に延びた板片を本体１１０の内側へ曲げることで案内片１１４が設けられるので、案内片１１４を長くすることができることから、雄端子２００の先端をバネ片１１３へと案内する長さが大きくとれて、雄端子２００がバネ片１１３に当たるときの斜め挿入の傾き角が大幅に抑制され、これによって斜め挿入によりバネ片１１３が受ける荷重が大きく軽減される。また、案内片１１４を長くできるので、案内片１１４の加工も容易になり、形状決定の自由度も向上することから、このことによっても斜め挿入によりバネ片１１３が受ける荷重が大きく軽減される。
【００３２】
また、本体１１０の原板からの成形は、バネ片１１３及び案内片１１４を縦壁１１２から曲げて起こし、原板の端にある方の横壁を構成する端壁１１１ａ、１１１ｂを縦壁１１２に対して曲げ、二つの縦壁１１２を原板の内側にある方の横壁１１１に対して曲げれば成形される。そのため、それに類似する工程に加えて、さらに嵌合端壁を底壁に対して曲げ、嵌合端側壁部を嵌合端壁に対して曲げる工程が必要となる特許文献１の端子に較べると、製造が容易である。
【００３３】
本発明の案内片付き雌端子の案内片は、縦壁から本体の内側へ曲がった板片により、当該縦壁の奥行き方向手前の端部とバネ片の先端との間を覆うように構成されておればよい。したがって、案内片の形状を特に限定するものではない。しかし、この実施形態では、案内片１１４が、奥行き方向の奥に向かうにつれて当該案内片１１４が設けられた縦壁１１２と対向する縦壁１１２に近づくように延びている。このようにすれば、斜め挿入された雄端子２００の先端が案内片１１４に当たってバネ片１１３へと案内されるにしたがい、斜め挿入の傾き角がスムーズに減少していくので、挿入抵抗が少ない。しかも、加工が容易である。
【００３４】
本発明の案内片付き雌端子のバネ片は、縦壁から、奥行き方向の奥側の端部が固定端となり且つ手前側の端部が自由端となり、自由端が当該縦壁と対向する縦壁に接近するように形成されておればよい。しかし、この実施形態では、バネ片１１３の自由端１１３ｂが、当該バネ片１１３が切り起こされた縦壁１１２に向かって曲がっている。このようにすれば、曲がった部位に接点が形成され、接点の確定が容易となる。
【００３５】
本発明の案内片付き雌端子の二つの横壁は高さ方向に向いて対向し、しかもこれらの二つの横壁は幅方向に向いて対向する二つの縦壁と共に奥行き方向に延びる筒形の本体を構成しておればよい。しかし、この実施形態では、横壁１１１の幅方向の両端部に縦壁１１２の高さ方向の端部をそれぞれ一体に設け、これらの縦壁１１２の残った端部に、高さ方向に向いた端壁１１１ａ、１１１ｂの幅方向の端部をそれぞれ一体に設け、これら二つの端壁１１１ａ、１１１ｂを幅方向に突き合わせ又は高さ方向に重ね、これらの端壁１１１ａ、１１１ｂにより上記横壁１１１と対向する横壁１１１を構成した。このようにすれば、二つの端壁１１１ａ、１１１ｂを幅方向に突き合わたときには、案内片付き雌端子１００が幅方向に対称になり、高さ方向の寸法も低くなり、低背化することができる。また、二つの端壁を高さ方向に重ねたときには、二つの端壁に応力が分散されるので、曲げ、捩りその他の負荷に対する本体の強度が向上する。
【００３６】
上記実施形態は本発明の案内片付き雌端子の一つの例を示したに過ぎない。したがって、この実施形態の記載によって本発明の案内片付き雌端子が限定解釈されるものではない。
【図面の簡単な説明】
【００３７】
【図１】実施形態の案内片付き雌端子の斜視図である。
【図２】図１とは別の方向からみた実施形態の案内片付き雌端子の斜視図である。
【図３】実施形態の案内片付き雌端子の正面図である。
【図４】実施形態の案内片付き雌端子の平面図である。
【図５】実施形態の案内片付き雌端子の側面図である。
【図６】図５におけるＶＩ−ＶＩ線断面図である。
【図７】実施形態の案内片付き雌端子の製造工程のうち、原板を曲げて本体などを成形する工程の概略を示す説明図である。分かりやすくするため、係止片を省略している。また、接続部も省略している。
【図８】実施形態の案内片付き雌端子に雄端子を斜め挿入するときの傾き角を説明する拡大断面図である。雄端子を仮想線で示している。
【符号の説明】
【００３８】
１００  案内片付き雌端子  
１１０  本体
１１１  横壁
１１１ａ  端壁
１１１ｂ  端壁
１１２  縦壁
１１３  バネ片
１１３ａ  固定端
１１３ｂ  自由端
１１４  案内片
１２０  接続部
２００  雄端子
３００  電線
【図１】
2007184171.tif 000003
【図２】
2007184171.tif 000004
【図３】
2007184171.tif 000005
【図４】
2007184171.tif 000006
【図５】
2007184171.tif 000007
【図６】
2007184171.tif 000008
【図７】
2007184171.tif 000009
【図８】
2007184171.tif 000010